(57)【要約】【課題】上方からの視認性に優れたアドレス確認用のアライメントマークを有するアドレス用パーツを備え、ゴルファーが自分に合ったパッティングアドレスを容易に採ることができるパターヘッドを提供する。【解決手段】金属製ヘッド本体１２を有するパターヘッド１０において、ヘッド本体の上面のフェース部１４より後方に、ヘッド本体と異なる材質からなるアドレス用パーツ１６を設置する。また、アドレス用パーツの上方から見える箇所に、色彩が施された模様からなり、上方から見る角度によって模様の見え方が変化するアライメントマーク１８を表示する。【選択図】図１
2010259579.tif 000002
【特許請求の範囲】
【請求項１】
金属製ヘッド本体を有するパターヘッドにおいて、前記ヘッド本体の上面のフェース部より後方に、ヘッド本体と異なる材質からなるアドレス用パーツが設置され、かつ、前記アドレス用パーツの上方から見える箇所に、色彩が施された模様からなり、上方から見る角度によって前記模様の見え方が変化するアライメントマークが表示されていることを特徴とするパターヘッド。
【請求項２】
前記アドレス用パーツは、ヘッド本体の最大トウ・ヒール方向長さの１０％以上の最大トウ・ヒール方向長さを有し、ヘッド本体の最大フェース・バック方向長さの１５％以上の最大フェース・バック方向長さを有することを特徴とする請求項１に記載のパターヘッド。
【請求項３】
前記アドレス用パーツは、ヘッド本体より比重が小さい材質からなることを特徴とする請求項１または２に記載のパターヘッド。
【請求項４】
前記アドレス用パーツは、平板部と、前記平板部上に形成された柱状部とを備え、前記アライメントマークは、前記平板部の上面または前記平板部および柱状部の上面にアライメントマークの中央部付近を真上から見たときに左右および上下対称に見えるように表示されており、上方からアライメントマークを見る角度によってアライメントマークの一部が柱状部で隠されることにより、上方から見る角度によってアライメントマークの模様の見え方が変化することを特徴とする請求項１〜３のいずれか１項に記載のパターヘッド。
【請求項５】
前記アドレス用パーツは、平板部と、前記平板部上に形成された柱状部とを備え、前記アライメントマークは、前記平板部および柱状部の上面にアライメントマークの中央部付近を真上から見たときに左右および上下対称に見えるように表示されており、上方からアライメントマークを見る角度によってアライメントマークの平板部に表示された部分と柱状部に表示された部分にズレが発生することにより、上方から見る角度によってアライメントマークの模様の見え方が変化することを特徴とする請求項１〜３のいずれか１項に記載のパターヘッド。
【請求項６】
前記アドレス用パーツは、下側平板部と、単数または複数の透孔を有し、前記下側平板部の上方に配置された上側平板部とを備え、前記アライメントマークは、前記下側平板部の上面にアライメントマークの中央部付近を真上から見たときに透孔を通して左右および上下対称に見えるように表示されており、上方からアライメントマークを見る角度によってアライメントマークの一部が上側平板部で隠されることにより、上方から見る角度によってアライメントマークの模様の見え方が変化することを特徴とする請求項１〜３のいずれか１項に記載のパターヘッド。
【請求項７】
前記アドレス用パーツは、下側平板部と、複数の透孔を有し、前記下側平板部の上方に配置された上側平板部とを備え、前記アライメントマークは、前記上側平板部の上面に表示されており、上方からアライメントマークを見る角度によって異なる透孔からアライメントマークが見えることにより、上方から見る角度によってアライメントマークの模様の見え方が変化する態様。
【請求項８】
前記アドレス用パーツは、下側平板部と、単数または複数の透孔を有し、前記下側平板部の上方に配置された上側平板部とを備え、前記アライメントマークは、前記下側平板部の上面に前記アライメントマークの中央部付近を真上から見たときに透孔を通して見えないように表示されており、上方からアライメントマークを見る角度によってアライメントマークの一部が見えることにより、上方から見る角度によってアライメントマークの模様の見え方が変化することを特徴とする請求項１〜３のいずれか１項に記載のパターヘッド。
【請求項９】
前記アドレス用パーツが、前記ヘッド本体のトウ・ヒール方向中央部付近に設置されていることを特徴とする請求項１〜８のいずれか１項に記載のパターヘッド。
【請求項１０】
前記アドレス用パーツは、前記ヘッド本体に交換可能に設置されていることを特徴とする請求項１〜９のいずれか１項に記載のパターヘッド。
【発明の詳細な説明】
【技術分野】
【０００１】
本発明は、ゴルファーが自分に合ったパッティングアドレスを採ることを支援する機能を有し、パッティングを正確に行うことを可能としたパターヘッドに関する。
【背景技術】
【０００２】
従来、ゴルファーに合ったパッティングアドレスが常に採れるように、ゴルファーがパターヘッドあるいはゴルフボールを目の真下に置くことを支援する機能を有し、パッティングをより正確に行うことができるようにしたパタークラブとして、特許文献１のものが提案されている。
【０００３】
特許文献１のパタークラブは、ヘッドとその鉛直線上にあるゴルファーの目とを結ぶ視線に対し、略平行な孔をヘッドに設けたものである（請求項１）。上記孔は、ヘッドを上下方向に貫通する貫通孔でもよいし、所定深さの穴でもよい（段落０００７、００１２）。特許文献１のパタークラブは、ヘッドの孔に対するゴルファーの目の位置に応じて（ゴルファーの目から言えば、ゴルファーの目に対する孔の位置に応じて）、目に映る孔の様子が変化するので、その目に映る孔の様子を「ヘッドと目の位置」の情報、ひいては「球と目の位置」の情報として活用することができるものである（段落００２１）。
【先行技術文献】
【特許文献】
【０００４】
【特許文献１】特開平９−３１３６５２号公報
【発明の概要】
【発明が解決しようとする課題】
【０００５】
しかし、特許文献１のパタークラブは、上下方向に沿った孔をヘッドに設けたもので、孔の内部に光が入りにくく、ゴルファーがパッティングアドレスを採ったときに孔の様子を上方から視認しにくいものであり、そのため常にゴルファーに合ったパッティングアドレスを採ることが難しいものであった。
【０００６】
本発明は、上記事情に鑑みてなされたもので、上方からの視認性に優れたアドレス確認用のアライメントマークを有するアドレス用パーツを備え、ゴルファーが自分に合ったパッティングアドレスを容易に採ることができるパターヘッドを提供することを目的とする。
【課題を解決するための手段】
【０００７】
本発明は、前記目的を達成するため、金属製ヘッド本体を有するパターヘッドにおいて、前記ヘッド本体の上面のフェース部より後方に、ヘッド本体と異なる材質からなるアドレス用パーツが設置され、かつ、前記アドレス用パーツの上方から見える箇所に、色彩が施された模様からなり、上方から見る角度によって前記模様の見え方が変化するアライメントマークが表示されていることを特徴とするパターヘッドを提供する。
【０００８】
本発明のパターヘッドは、ヘッド本体の上面にアドレス用パーツを設置するとともに、このアドレス用パーツの上方から見える箇所に、上方から見る角度によって模様の見え方が変化するアドレス確認用のアライメントマークを表示したので、アライメントマークに光がよく当たり、したがってアライメントマークの上方からの視認性に優れ、ゴルファーが自分に合ったパッティングアドレスを採ることが容易である。特に、本発明では、アドレス用パーツをヘッド本体と異なる材質により形成したので、ヘッド本体とアドレス用パーツの上方からの見え方（色、質感など）が異なり、これによってもアライメントマークの上方からの視認性が向上している。
【０００９】
本発明において、アドレス用パーツは、ヘッド本体の最大トウ・ヒール方向長さの１０％以上、特に１５〜８５％の最大トウ・ヒール方向長さを有し、ヘッド本体の最大フェース・バック方向長さの１５％以上、特に２０〜９０％の最大フェース・バック方向長さを有することが好ましい。より具体的には、アドレス用パーツは、最大トウ・ヒール方向長さが１０〜１１０ｍｍ、最大フェース・バック方向長さが１０〜１１０ｍｍであることが好適である。このようにアドレス用パーツを大きくすることによって、アライメントマークの上方からの視認性をより向上させることができる。また、上記のようにアドレス用パーツを大きくした場合、アドレス用パーツは、ヘッド本体より比重が小さい材質により形成することが、パターヘッドの重量増を抑える点で適当である。
【００１０】
本発明において、上方から見る角度によってアライメントマークの模様の見え方を変化させる態様に限定はないが、例えば下記（Ａ）〜（Ｅ）の態様を挙げることができる。
（Ａ）アドレス用パーツは、平板部と、平板部上に形成された柱状部とを備え、アライメントマークは、平板部の上面または平板部および柱状部の上面にアライメントマークの中央部付近を真上から見たときに左右および上下対称に見えるように表示されており、上方からアライメントマークを見る角度によってアライメントマークの一部が柱状部で隠されることにより、上方から見る角度によってアライメントマークの模様の見え方が変化する態様。
（Ｂ）アドレス用パーツは、平板部と、平板部上に形成された柱状部とを備え、アライメントマークは、平板部および柱状部の上面にアライメントマークの中央部付近を真上から見たときに左右および上下対称に見えるように表示されており、上方からアライメントマークを見る角度によってアライメントマークの平板部に表示された部分と柱状部に表示された部分にズレが発生することにより、上方から見る角度によってアライメントマークの模様の見え方が変化する態様。
（Ｃ）アドレス用パーツは、下側平板部と、単数または複数の透孔を有し、下側平板部の上方に配置された上側平板部とを備え、アライメントマークは、下側平板部の上面にアライメントマークの中央部付近を真上から見たときに透孔を通して左右および上下対称に見えるように表示されており、上方からアライメントマークを見る角度によってアライメントマークの一部が上側平板部で隠されることにより、上方から見る角度によってアライメントマークの模様の見え方が変化する態様。
（Ｄ）アドレス用パーツは、下側平板部と、複数の透孔を有し、下側平板部の上方に配置された上側平板部とを備え、アライメントマークは、上側平板部の上面に表示されており、上方からアライメントマークを見る角度によって異なる透孔からアライメントマークが見えることにより、上方から見る角度によってアライメントマークの模様の見え方が変化する態様。
（Ｅ）アドレス用パーツは、下側平板部と、単数または複数の透孔を有し、下側平板部の上方に配置された上側平板部とを備え、アライメントマークは、下側平板部の上面にアライメントマークの中央部付近を真上から見たときに透孔を通して見えないように表示されており、上方からアライメントマークを見る角度によってアライメントマークの一部が見えることにより、上方から見る角度によってアライメントマークの模様の見え方が変化する態様。
【００１１】
本発明のパターヘッドにおいては、アドレス用パーツが、ヘッド本体のトウ・ヒール方向中央部に設置されていることが好ましい。これにより、パターヘッドあるいはゴルフボールを目の真下に置くことが容易になる。
【００１２】
本発明のパターヘッドにおいて、アドレス用パーツは、通常、ヘッド本体に固定されており、交換不能に設置されている。しかし、アドレス用パーツは、ヘッド本体に交換可能に設置されていてもよい。これにより、ゴルファーの好みに応じてアドレス用パーツを適宜交換することが可能となる。この場合、ヘッド本体およびアドレス用パーツに、ヘッド本体へのアドレス用パーツの取り付け位置を正しく合わせるための位置合わせ手段を設けることができ、このようにすると、アドレス用パーツの交換時に位置合わせ手段によってヘッド本体にアドレス用パーツを正しく取り付けることができる。
【００１３】
本発明において、ヘッド本体およびアドレス用パーツの材質に限定はないが、ヘッド本体の材質としては、例えば、アルミニウム、アルミニウム合金、銅、銅合金、チタン、チタン合金、ステンレス鋼等が挙げられ、アドレス用パーツの材質としては、例えば、アルミニウム、アルミニウム合金、銅、銅合金、チタン、チタン合金、ステンレス鋼、樹脂、プラスチック、セラミックス、カーボン等が挙げられる。また、色彩が施されたアライメントマークは、例えば、赤、黒、緑等の適宜色彩を有する塗料、顔料や、メッキ、イオンプレーティング、アルマイト処理等の表面処理によって形成することができる。
【００１４】
また、ヘッド本体とアドレス用パーツとの固定手段としては、雄ネジ部および雌ネジ部を用いた固定手段、嵌合による固定手段、接着剤による固定手段等が挙げられる。
【発明の効果】
【００１５】
本発明のパターヘッドは、アライメントマークの上方からの視認性に優れているため、ゴルファーが自分に合ったパッティングアドレスを採ることが容易である。
【図面の簡単な説明】
【００１６】
【図１】本発明に係るパターヘッドの第１実施形態を示すもので、（ａ）は平面図、（ｂ）は側面図である。
【図２】アドレス用パーツの一例を示すもので、（ａ）は斜視図、（ｂ）はアライメントマークを真上から見た状態を示す図、（ｃ）はアライメントマークを斜め上方から見た状態を示す図である。
【図３】アドレス用パーツの一例を示すもので、（ａ）は斜視図、（ｂ）はアライメントマークを真上から見た状態を示す図、（ｃ）はアライメントマークを斜め上方から見た状態を示す図である。
【図４】アドレス用パーツの一例を示すもので、（ａ）は斜視図、（ｂ）はアライメントマークを真上から見た状態を示す図、（ｃ）はアライメントマークを斜め上方から見た状態を示す図である。
【図５】アドレス用パーツの一例を示すもので、（ａ）は斜視図、（ｂ）はアライメントマークを真上から見た状態を示す図、（ｃ）はアライメントマークを斜め上方から見た状態を示す図である。
【図６】アドレス用パーツの一例を示すもので、（ａ）は斜視図、（ｂ）はアライメントマークを真上から見た状態を示す図、（ｃ）はアライメントマークを斜め上方から見た状態を示す図である。
【図７】アドレス用パーツの一例を示すもので、（ａ）は斜視図、（ｂ）はアライメントマークを真上から見た状態を示す図、（ｃ）はアライメントマークを斜め上方から見た状態を示す図である。
【図８】アドレス用パーツの一例を示すもので、（ａ）は斜視図、（ｂ）はアライメントマークを真上から見た状態を示す図、（ｃ）はアライメントマークを斜め上方から見た状態を示す図である。
【図９】アドレス用パーツの一例を示すもので、（ａ）は斜視図、（ｂ）はアライメントマークを真上から見た状態を示す図、（ｃ）はアライメントマークを斜め上方から見た状態を示す図である。
【図１０】本発明に係るパターヘッドの第２実施形態を示すもので、（ａ）は平面図、（ｂ）は側面図である。
【図１１】図１０のパターヘッドのアドレス用パーツを示す分解斜視図である。
【図１２】アドレス用パーツの一例を示すもので、（ａ）は斜視図、（ｂ）はアライメントマークを真上から見た状態を示す図、（ｃ）はアライメントマークを斜め上方から見た状態を示す図である。
【図１３】アドレス用パーツの一例を示すもので、（ａ）は斜視図、（ｂ）はアライメントマークを真上から見た状態を示す図、（ｃ）はアライメントマークを斜め上方から見た状態を示す図である。
【図１４】アドレス用パーツの一例を示すもので、（ａ）は斜視図、（ｂ）はアライメントマークを真上から見た状態を示す図、（ｃ）、（Ｄ）はアライメントマークを斜め上方から見た状態を示す図である。
【図１５】アドレス用パーツの一例を示すもので、（ａ）は斜視図、（ｂ）はアライメントマークを真上から見た状態を示す図、（ｃ）、（Ｄ）はアライメントマークを斜め上方から見た状態を示す図である。
【図１６】アドレス用パーツの一例を示すもので、（ａ）は斜視図、（ｂ）はアライメントマークを真上から見た状態を示す図、（ｃ）はアライメントマークを斜め上方から見た状態を示す図である。
【発明を実施するための形態】
【００１７】
以下、本発明につき図面を参照して詳しく説明する。
【００１８】
（第１実施形態）
図１は本発明に係るパターヘッドの第１実施形態を示すもので、（ａ）は平面図、（ｂ）は側面図である。本例のパターヘッド１０は、金属製ヘッド本体１２の上面のフェース部１４より後方に、ヘッド本体１２と異なる材質であって、ヘッド本体１２より比重が小さい材質からなるアドレス用パーツ１６が設置されている。また、アドレス用パーツ１６の上方から見える箇所に、色彩が施された模様からなり、上方から見る角度によって模様の見え方が変化するアライメントマーク１８が表示されている。なお。図示していないが、ブレード部１５のヒール側にはホゼル部が設けられている（後述する第２、第３実施形態も同じ）。
【００１９】
上記アドレス用パーツ１６は、円板状の平板部２０と、平板部２０の中央部上に形成された円柱状の柱状部２２とを備えている。また、アライメントマーク１８は、図２（ａ）に示すように、平板部２０の上面の柱状部２２の周囲に設けられた浅溝の底部に表示された赤色（赤色塗料により形成、以下同じ）の円形リング状のものである。このアライメントマーク１８は、アライメントマーク１８の中央部付近を真上から見たときに左右および上下対称に見え、また、上方からアライメントマーク１８を見る角度によって一部が柱状部２２で隠されることにより、上方から見る角度によって模様の見え方が変化する。図２（ｂ）はアライメントマーク１８の中央部付近を真上から見た状態、図２（ｃ）はアライメントマーク１８を斜め上方から見た状態を示す。
【００２０】
また、アドレス用パーツ１６は、ヘッド本体１２の最大トウ・ヒール方向長さの約２５％の最大トウ・ヒール方向長さｍを有し、ヘッド本体１２の最大フェース・バック方向長さの約３３％の最大フェース・バック方向長さｎを有する。
【００２１】
（第１実施形態の変形例）
第１実施形態のパターヘッドにおけるアドレス用パーツ１６としては、図２に示したもののほか、例えば、図３〜図９に示すものを用いることができる。図３〜図９のアドレス用パーツ１６は、いずれも、円板状の平板部２０と、平板部２０の中央部上に形成された円柱状の柱状部２２とを備え、上方から見える箇所にアライメントマーク１８が表示されている。また、図３〜図９のアドレス用パーツ１６のアライメントマーク１８は、いずれも、アライメントマーク１８の中央部付近を真上から見たときに左右および上下対称に見え、上方からアライメントマーク１８を見る角度によってアライメントマーク１８の平板部２０に表示された部分と上側平板部２２に表示された部分にズレが発生することにより、上方から見る角度によって模様の見え方が変化するものである。図３（ｂ）〜図９（ｂ）はそれぞれアライメントマーク１８の中央部付近を真上から見た状態を示し、図３（ｃ）〜図９（ｃ）はそれぞれアライメントマーク１８を斜め上方から見た状態を示す。
【００２２】
（図３のアドレス用パーツ）
本例のアドレス用パーツ１６のアライメントマーク１８は、図３（ａ）に示すように、平板部２０の上面に設けられた浅溝の底部に表示された縦方向に沿った２本の赤色の直線および横方向に沿った２本の赤色の直線と、柱状部２２の上面に設けられた浅溝の底部に表示された縦方向に沿った２本の赤色の直線および横方向に沿った２本の赤色の直線とからなる。
【００２３】
（図４のアドレス用パーツ）
本例のアドレス用パーツ１６のアライメントマーク１８は、図４（ａ）に示すように、平板部２０の上面に設けられた浅溝の底部に表示された横方向に沿った３本の赤色の直線と、柱状部２２の上面に設けられた浅溝の底部に表示された横方向に沿った３本の赤色の直線とからなる。
【００２４】
（図５のアドレス用パーツ）
本例のアドレス用パーツ１６のアライメントマーク１８は、図５（ａ）に示すように、平板部２０の上面の柱状部２２の周囲に設けられた浅溝の底部に表示された周方向に互いに等間隔離間する４つの赤色の半円と、柱状部２２の上面周縁部に設けられた浅溝の底部に表示された周方向に互いに等間隔離間する４つの赤色の半円とからなる。
【００２５】
（図６のアドレス用パーツ）
本例のアドレス用パーツ１６のアライメントマーク１８は、図６（ａ）に示すように、平板部２０の上面に設けられた浅溝の底部に表示された周方向に互いに等間隔離間する４つの赤色の円と、柱状部２２の上面周縁部近傍に設けられた浅溝の底部に表示された周方向に互いに等間隔離間する４つの赤色の円とからなる。
【００２６】
（図７のアドレス用パーツ）
本例のアドレス用パーツ１６のアライメントマーク１８は、図７（ａ）に示すように、平板部２０の上面に設けられた浅溝の底部に表示された周方向に互いに等間隔離間する４つの赤色の三角と、柱状部２２の上面周縁部近傍に設けられた浅溝の底部に表示された周方向に互いに等間隔離間する４つの赤色の三角とからなる。
【００２７】
（図８のアドレス用パーツ）
本例のアドレス用パーツ１６のアライメントマーク１８は、図８（ａ）に示すように、平板部２０の上面に設けられた浅溝の底部に表示された周方向に互いに等間隔離間する４つの赤色の台形と、柱状部２２の上面周縁部近傍に設けられた浅溝の底部に表示された周方向に互いに等間隔離間する４つの赤色の三角とからなる。
【００２８】
（図９のアドレス用パーツ）
本例のアドレス用パーツ１６のアライメントマーク１８は、図９（ａ）に示すように、平板部２０の上面に設けられた浅溝の底部に表示された周方向に互いに等間隔離間する２つの赤色の円と、柱状部２２の上面周縁部近傍に設けられた浅溝の底部に表示された周方向に互いに等間隔離間する２つの赤色の円とからなる。本例の円は、図５、図６のアライメントマーク１８の円よりも若干大きく形成されている。
【００２９】
（第２実施形態）
図１０は本発明に係るパターヘッドの第２実施形態を示すもので、（ａ）は平面図、（ｂ）は側面図である。本例のパターヘッド３０は、金属製ヘッド本体３２の上面のフェース部３４より後方に、ヘッド本体３２と異なる材質であって、ヘッド本体１２より比重が小さい材質からなるアドレス用パーツ３６が設置されている。また、アドレス用パーツ３６の上方から見える箇所に、色彩が施された模様からなり、上方から見る角度によって模様の見え方が変化するアライメントマーク３８が表示されている。
【００３０】
上記アドレス用パーツ３６は、円板状の下側平板部４０と、下側平板部４０と等しい外径を有し、下側平板部４０の上方に配置された円板状の上側平板部４２と、下側平板部４０と上側平板部４２とを連結する２つの連結部４４とを有する。上側平板部４２の中央部には、１つの円形の透孔４６が形成されている。本例では、図１１に示すように、下側平板部４０と２つの連結部４４とが一体に成形されており、連結部４４の上面に設けられた凹部４８に上側平板部４２の下面に設けられた凸部５０を挿入することにより、連結部４４と上側平板部４２とを連結するようになっている。
【００３１】
また、アライメントマーク３８は、図１２（ａ）に示すように、下側平板部４０の上面の前記透孔４６の周縁の内側の下方に設けられた浅溝の底部に表示された赤色の円形リング状のものである。このアライメントマーク３８は、アライメントマーク３８の中央部付近を真上から見たときに透孔４６を通して左右および上下対称に見え、また、上方からアライメントマーク３８を見る角度によって一部が上側平板部４２で隠されることにより、上方から見る角度によって模様の見え方が変化する。図１２（ｂ）はアライメントマーク３８の中央部付近を真上から見た状態、図１２（ｃ）はアライメントマーク３８を斜め上方から見た状態を示す。
【００３２】
また、アドレス用パーツ３６は、ヘッド本体３２の最大トウ・ヒール方向長さの約２５％の最大トウ・ヒール方向長さを有し、ヘッド本体３２の最大フェース・バック方向長さの約３３％の最大フェース・バック方向長さを有する。
【００３３】
（第２実施形態の変形例）
第２実施形態のパターヘッドにおけるアドレス用パーツ３６としては、図１２に示したもののほか、例えば、図１３〜図１６に示すものを用いることができる。図１３〜図１６のアドレス用パーツ３６は、いずれも、円板状の下側平板部４０と、下側平板部４０と等しい外径を有し、下側平板部４０の上方に配置された円板状の上側平板部４２と、下側平板部４０と上側平板部４２とを連結する２つの連結部４４とを有し、上方から見える箇所にアライメントマーク３８が表示されている。
【００３４】
（図１３のアドレス用パーツ）
本例のアドレス用パーツ３６の上側平板部４２の上下方向中央部には、図１３（ａ）に示すように、２つの円形の透孔４６が形成されているとともに、２つの透孔４６の中央部に設けられた浅溝の底部に赤色の円からなるマーク３７が表示されている。２つの透孔４６およびマーク３７は、左右方向に沿って等間隔を隔てて配置されている。また、アライメントマーク３８は、下側平板部４０の上面の上記２つの透孔４６の下方に設けられた浅溝の底部に表示された２つの赤色の円からなる。このアライメントマーク３８は、アライメントマーク３８の中央部付近を真上から見たときに透孔４６を通して左右および上下対称に見え、また、上方から上側平板部４２を見る角度によって一部が上側平板部４２で隠されることにより、上方から見る角度によって模様の見え方が変化する。上側平板部４２のマーク３７は、真上から見た場合はもちろん、斜め上方から見た場合でもほぼ真円に見えるため、円形のアライメントマーク３８の見え方との基準にすることができるという役割を有する。図１３（ｂ）はアライメントマーク３８の中央部付近を真上から見た状態、図１３（ｃ）はアライメントマーク３８を斜め上方から見た状態を示す。
【００３５】
（図１４のアドレス用パーツ）
本例のアドレス用パーツ３６の上側平板部４２の上下方向中央部には、図１４（ａ）に示すように、３つの長方形の透孔４６が左右方向に沿って等間隔を隔てて形成されている。また、アライメントマーク３８は、下側平板部４０の上面の上記３つの透孔４６のほぼ下方に設けられた浅溝の底部に表示された３本の赤色の直線からなる。これら３本の直線は、左側の直線は中央の直線よりも若干上方に形成され、右側の直線は中央の直線よりも若干下方に形成されている。すなわち、３本の直線は、上下にずれた状態で配置されている。このアライメントマーク３８は、上方からアライメントマーク３８を見る角度によって一部が上側平板部４２で隠されることにより、上方から見る角度によって模様の見え方が変化する。具体的には、アライメントマーク３８の中央部付近を真上から見たときには中央の透孔４６を通して中央の直線が見え、アライメントマーク３８を斜め上方から見たときには右側の透孔４６を通して右側の直線が見えたり、左側の透孔４６を通して左側の直線が見えたりする。この場合、中央の透孔４６を通して中央の直線が見えるアドレスが全てのゴルファーにとって適切ということではなく、ゴルファーによっては、右側の透孔４６を通して右側の直線が見えたり、左側の透孔４６を通して左側の直線が見えたりする状態が適切なアドレスであることもあり、自分にとって適切なアライメントマーク３８の見え方を選択することにより、ゴルファーが自分に合ったパッティングアドレスを常に容易に採ることができるようになる。図１４（ｂ）はアライメントマーク３８の中央部付近を真上から見た状態、図１４（ｃ）、（ｄ）はアライメントマーク３８を斜め上方から見た状態を示す。
【００３６】
（図１５のアドレス用パーツ）
本例のアドレス用パーツ３６の上側平板部４２の上下方向中央部には、図１５（ａ）に示すように、３つの長方形の透孔４６が上下方向に沿って等間隔を隔てて形成されているとともに、上記３つの長方形の両側方に計６つの三角形の浅溝があり、その浅溝の底部に赤色の三角形のマークが表示されている。また、アライメントマーク３８は、下側平板部４０の上面の上記３つの長方形の透孔４６の下方に設けられた浅溝の底部に表示された３本の赤色の直線からなる。このアライメントマーク３８は、上方からアライメントマーク３８を見る角度によって一部が上側平板部４２で隠されることにより、上方から見る角度によって模様の見え方が変化する。具体的には、アライメントマーク３８の中央部付近を真上から見たときには中央の長方形の透孔４６を通して中央の直線が見え、アライメントマーク３８を斜め上方から見たときには上側の長方形の透孔４６を通して上側の直線が見えたり、下側の長方形の透孔４６を通して下側の直線が見えたりする。この場合、中央の透孔４６を通して中央の直線が見えるアドレスが全てのゴルファーにとって適切ということではなく、ゴルファーによっては、上側の透孔４６を通して上側の直線が見えたり、下側の透孔４６を通して下側の直線が見えたりする状態が適切なアドレスであることもあり、自分にとって適切なアライメントマーク３８の見え方を選択することにより、ゴルファーが自分に合ったパッティングアドレスを常に容易に採ることができるようになる。図１５（ｂ）はアライメントマーク３８の中央部付近を真上から見た状態、図１５（ｃ）、（ｄ）はアライメントマーク３８を斜め上方から見た状態を示す。
【００３７】
（図１６のアドレス用パーツ）
本例のアドレス用パーツ３６の上側平板部４２の中央部には、図１６（ａ）に示すように、１つの円形の透孔４６が形成されている。また、アライメントマーク３８は、下側平板部４０の上面の前記透孔４６の周縁の外側の下方に設けられた浅溝の底部に表示された赤色の円形リング状のものである。このアライメントマーク３８は、アライメントマーク３８の中央部付近を真上から見たときに透孔４６を通して見えないように表示されており、上方からアライメントマーク３８を見る角度によってアライメントマーク３８の一部が見えることにより、上方から見る角度によってアライメントマーク３８の模様の見え方が変化する。図１６（ｂ）はアライメントマーク３８の中央部付近を真上から見た状態、図１６（ｃ）はアライメントマーク３８を斜め上方から見た状態を示す。
【００３８】
上述した第２実施形態およびその変形例のパターヘッドのアドレス用パーツ３６は、下側平板部４０と上側平板部４２との間に隙間があるため、アライメントマーク３８に光がよく当たり、アライメントマーク３８の上方からの視認性に優れている。したがって、これらのアドレス用パーツ３６を用いたパターヘッドは、特許文献１のパターヘッドのように、孔の内部に光が入りにくいという問題が生じるおそれはない。
【００３９】
なお、上述した第１実施形態および第２実施形態においては、アライメントマークを左右および上下対称に表示しているが、これに限定されるものではなく、左右および上下対称非対称や左右非対称、上下非対称に表示してもよい。
【実施例】
【００４０】
図１および図１０に示したパターヘッドをそれぞれ作製した。ヘッド本体の材質としてはステンレス鋼を用い、鋳造（ロストワックス製法）で作製した。アドレス用パーツの材質としてはアルミニウムを用い、板材あるいは円柱状の棒材から削り出しにより作製した。アドレス用パーツを削り出しにより作製したのは、アドレス用パーツには高い精度が要求されるからである。ヘッド本体とアドレス用パーツとの固定手段としては、アドレス用パーツの基部に雄ネジ部、ヘッド本体に雌ネジ部を設け、ヘッド本体にアドレス用パーツを螺合するとともに、接着剤で接着する手段を採ることにより、アドレス用パーツを交換不能とした。
【００４１】
実施例で作製したパターヘッドは、いずれも、アライメントマークの上方からの視認性に優れており、ゴルファーが自分に合ったパッティングアドレスを採ることが容易なものであった。
【符号の説明】
【００４２】
１０  パターヘッド
１２  ヘッド本体
１４  フェース部
１６  アドレス用パーツ
１８  アライメントマーク
２０  平板部
２２  柱状部
３０  パターヘッド
３２  ヘッド本体
３４  フェース部
３６  アドレス用パーツ
３８  アライメントマーク
４０  下側平板部
４２  上側平板部
４６  透孔
５０  パターヘッド
５２  ヘッド本体
５４  フェース部
５６ アドレス用パーツ
５８  アライメントマーク
６０  溝
６２  壁部
【図１】
2010259579.tif 000003
【図２】
2010259579.tif 000004
【図３】
2010259579.tif 000005
【図４】
2010259579.tif 000006
【図５】
2010259579.tif 000007
【図６】
2010259579.tif 000008
【図７】
2010259579.tif 000009
【図８】
2010259579.tif 000010
【図９】
2010259579.tif 000011
【図１０】
2010259579.tif 000012
【図１１】
2010259579.tif 000013
【図１２】
2010259579.tif 000014
【図１３】
2010259579.tif 000015
【図１４】
2010259579.tif 000016
【図１５】
2010259579.tif 000017
【図１６】
2010259579.tif 000018